(57)【要約】【課題】電子機器の入力操作用に使用される多方向スライドスイッチに関し、構成部材数が少なくて組み立ても容易であると共に、高さ寸法が小さいものの提供を目的とする。【解決手段】操作レバー３９をスライド操作して、四角形のケース２１内に収容した駆動体３６を所定方向へ移動させた際に、この駆動体３６の移動に伴って、略Ｍ字形状の二つの可動接点３４，３５の弾性脚３４Ｂ，３４Ｃ，３５Ｂ，３５Ｃの内、移動方向に対応するものを駆動体３６で押圧してケース２１の側壁２２Ａ〜２２Ｄの一つの内側面に沿って弾接摺動させ、対応する固定接点２３Ａ〜２３Ｄの一つと接離する構成としたため、部材数が少なくて組み立ても容易であると共に、高さ寸法が小さい多方向スライドスイッチが実現できる。【選択図】  図１
2004171924.tif 000002
【特許請求の範囲】
【請求項１】
四角形の底面の外周四辺から直立する側壁の内側面またはその近傍の上記底面の各々に固定接点が配された箱形のケースと、上記ケースの中央側に向けては移動規制がなされている弾性アームの一端側が、上記固定接点のいずれかと接離するように上記ケース内に各々配された可動接点と、上方に突出する操作レバーが配された本体部が、上記ケース内を移動可能に収容され、かつ非操作状態では、上記本体部は上記各々の可動接点の弾性アームにより付勢されて上記ケース中央位置に位置せしめられる駆動体からなり、上記操作レバーを介し上記駆動体をスライド操作した際、上記駆動体の本体部の移動に伴って、上記駆動体の移動方向側に配されている上記可動接点のいずれかが上記本体部で押されて、対応して配された上記固定接点のいずれかに接触する多方向スライドスイッチ。
【請求項２】
駆動体の本体部に規制部を設けると共に、ケースのコーナー部にガイド部を設け、上記駆動体をスライド操作した際、上記駆動体の規制部がガイド部に案内されて方向を規制されつつ、上記ケース内を所定方向に対し移動可能とした請求項１記載の多方向スライドスイッチ。
【請求項３】
四角形の底面の外周四辺から直立する側壁の内側面またはその近傍の上記底面上の、上記底面の中心に対し点対称位置にそれぞれ固定接点を有する箱形のケースと、所定巾の弾性金属薄板を略Ｍ字形状に折り曲げ形成され、Ｍ字形中心部が上記ケース内底面の一方の対角線上に固定され、Ｍ字形両端の二つの弾性脚の先端部が、上記側壁のうちの上記一方の対角線に対し線対称位置にある二つの内側面にそれぞれ弾接すると共に、上記Ｍ字形中心部と二つの弾性脚の根元部とを連結する二つの弾性アームが上記一方の対角線に対し線対称位置にあるように内方から支持されて、上記ケース内底面の他方の対角線に対し線対称位置にそれぞれ配設された二つの可動接点と、上記ケースに設けられたガイド部により上記ケースの対向する二組の側壁とそれぞれ平行な方向に所定量だけ直線移動可能に本体部の両端部が移動規制され、非操作状態において、上記本体部の四つの当接部が上記二つの可動接点の各二つずつの弾性アームと弾性脚の連結部近傍に当接することにより上記ケースの中央位置にあるように上記ケース内に収容されると共に、上記ケースの上面開口部から外方に突出した操作レバーを有する駆動体からなり、上記操作レバーを上記ケースの底面と平行に押圧して上記ケースの対向する二組の側壁の一方と平行な方向にスライド操作すると、上記駆動体全体が上記ガイド部に沿って直線移動し、動いた方向の上記当接部が当接している上記可動接点の弾性アームの連結部近傍を押して、上記弾性脚の先端部を弾接している上記ケースの側壁の内側面上を摺動させることによって、上記側壁の内側面または底面上の固定接点と接離し、所定信号が得られる請求項１記載の多方向スライドスイッチ。
【請求項４】
ケース内底面の中央に押圧スイッチ部を配設し、操作レバーを貫通して上下動可能に配設された押圧棒を押し下げることにより動作させる請求項１記載の多方向スライドスイッチ。
【請求項５】
ケースの上面開口部を平板状のカバーで塞ぎ、その中央に設けた孔から操作レバーを突出させ、この操作レバーに装着したツマミの外周下端部を上記カバーの孔の外方に当接させると共に、上記ツマミの中央に設けた貫通孔から押圧棒を押し下げ可能とした請求項４記載の多方向スライドスイッチ。
【請求項６】
操作レバーが駆動体の本体部に対し独立して上下動可能に係合して、押圧棒を兼ねる請求項４記載の多方向スライドスイッチ。
【請求項７】
ケース底面の中央に押圧スイッチを囲む壁部を設けると共に、非操作状態において上記壁部の上端よりも所定寸法だけ上方に位置し、上記壁部の内周に対し、スライド操作時の駆動体の移動量よりも小さい寸法の隙間を有する大径部を押圧棒の下端に設けた請求項４記載の多方向スライドスイッチ。
【発明の詳細な説明】
【０００１】
【発明の属する技術分野】
本発明は、各種電子機器の入力操作用に使用され、操作レバーのスライド操作により、両面表示内容のスクロール操作等を行なう多方向スライドスイッチに関するものである。
【０００２】
【従来の技術】
従来のこの種のスライドスイッチの内容について、図１０〜図１６を用いて説明する。
【０００３】
図１０は従来の多方向スライドスイッチの正面断面図、図１１は分解斜視図、図１２はケースの平面図、図１３は第一スライド部材の組立て状態を説明する一部断面の平面図、図１４は第二スライド部材の組立て状態を説明する一部断面の平面図である。
【０００４】
図１０〜図１２に示すように、樹脂で形成された箱形のケース１には、四角形の内底面の側壁に沿って四つの固定接点２Ａ〜２Ｄおよび四つのグランドパターン２Ｅが配設され、その内部には対向する側壁と平行にＸ軸またはＹ軸方向にスライド可能にガイドされた第一スライド部材３および第二スライド部材４が重ねて収容されて、上面開口部をカバー５で覆われている。
【０００５】
そして、第一スライド部材３の上面には操作レバー６が設けられてカバー５の挿通孔５Ａから上方に突出すると共に、下面には弾性金属薄板で形成された可動接点７が取り付けられており、第二スライド部材４の中央には操作レバー６が遊嵌する貫通孔４Ａが設けられている。
【０００６】
また、第一スライド部材３および第二スライド部材４がＸ軸またはＹ軸方向にスライドするようにガイドする部分は、図１１および図１３、図１４に示すように、第一スライド部材３上面の一対の第一係合部３Ａが、これと同長さに第二スライド部材４下面に設けられた一対の第一ガイド部４Ｂに係合し、第二スライド部材４上面の一対の第二係合部４Ｃが、これと同長さにカバー５下面に設けられた一対の第二ガイド部５Ｂに係合するように構成されている。
【０００７】
そして、第二スライド部材４下面の第一ガイド部４Ｂの両端部近傍およびカバー５下面の第二ガイド部５Ｂの両端部近傍には、それぞれ一対の第一復帰バネ８および第二復帰バネ９が、そのコイル部８Ａおよび９Ａを一対ずつの突部４Ｄおよび５Ｃに位置決めされて対向して配設され、非操作状態において、それぞれのアーム部８Ｂおよび９Ｂが第一ガイド部４Ｂと第一係合部３Ａの両端部および第二ガイド部５Ｂと第二係合部４Ｃの両端部に弾接して、第一係合部３Ａと第二係合部４Ｃすなわち第一スライド部材３と第二スライド部材４を中立位置に停止させている。
【０００８】
またこの時、第一スライド部材３の下面に取り付けられた可動接点７の四つの弾性脚７Ａ〜７Ｄの先端部は、図１２に二点鎖線で示すように、それぞれケース１の内底面の四つの固定接点２Ａ〜２Ｄと四つのグランドパターン２Ｅの間の位置に弾接している。
【０００９】
なお、ケース１の内底面の中央に配設された１０は押圧スイッチ部で、操作レバー６の中央部を貫通して配設された押圧棒１１を押すことによって、ドーム状可動接点１２が弾性変形して動作する。
【００１０】
以上のように構成される従来の多方向スライドスイッチに対し、図１３に示す非操作状態から操作レバー６を右方向へ押圧してＸ軸方向へスライド操作すると、図１５に示すように、第一係合部３Ａの一端部が、対応する右方向側の第一復帰バネ８のアーム部８Ｂを押してコイル部８Ａを弾性変形させながら第一スライド部材３がＸ軸方向へ動き、これに伴って、図１２に示す可動接点７の弾性脚７Ａの先端が固定接点２Ａに、また弾性脚７Ｂの先端がグランドパターン２Ｅに接触し、その信号はケース１外周の端子から外部へ伝達される。
【００１１】
この後、操作レバー６に加える押圧力を除くと、第一復帰バネ８の弾性復元力によって第一係合部３Ａすなわち第一スライド部材３は元の図１３の状態まで押し戻される。
【００１２】
同様に、図１４に示す非操作状態において、操作レバー６を後ろ方向へ押圧してＹ軸方向へスライド操作すると、図１６に示すように、第二係合部４Ｃが、対応する後ろ方向側の第二復帰バネ９を弾性変形させながら第二スライド部材４がＹ軸方向へ動き、可動接点７の弾性脚７Ｃと７Ｄの先端が固定接点２Ｃとグランドパターン２Ｅに接触するものであった。
【００１３】
なお、この出願の発明に関連する先行技術文献情報としては、例えば、特許文献１が知られている。
【００１４】
【特許文献１】
特開２００１−３０７５９９号公報
【００１５】
【発明が解決しようとする課題】
しかしながら上記従来の多方向スライドスイッチは、構成部材数が多く、組み立てにも手間がかかるためコスト高であると共に、第一スライド部材３と第二スライド部材４を重ねるために高さ寸法が大きいという課題があった。
【００１６】
本発明は、このような従来の課題を解決するものであり、構成部材数が少なくて組み立ても容易であると共に、高さ寸法が小さい多方向スライドスイッチを提供することを目的とする。
【００１７】
【課題を解決するための手段】
上記目的を達成するために本発明は、以下の構成を有するものである。
【００１８】
本発明の請求項１に記載の発明は、四角形の底面の外周四辺から直立する側壁の内側面またはその近傍の底面の各々に固定接点が配された箱形のケースと、ケースの中央側に向けては移動規制がなされている弾性アームの一端側が、固定接点のいずれかと接離するようにケース内に各々配された可動接点と、上方に突出する操作レバーが配された本体部が、ケース内を移動可能に収容され、かつ非操作状態では、本体部は各々の可動接点の弾性アームにより付勢されてケース中央位置に位置せしめられる駆動体からなる多方向スライドスイッチとしたものであり、操作レバーを介し駆動体をスライド操作した際、駆動体の本体部の移動に伴って、駆動体の移動方向側に配されている可動接点のいずれかが上記駆動体の本体部で押されて、対応して配された固定接点のいずれかに接触接離し、所定信号を得ることができる、構成部材数が少なくて組み立ても容易であると共に、高さ寸法の小さい多方向スライドスイッチを実現できるという作用効果を有する。
【００１９】
請求項２に記載の発明は、請求項１記載の発明において、駆動体の本体部に規制部を設けると共に、ケースのコーナー部にガイド部を設け、駆動体をスライド操作した際、駆動体の規制部がガイド部に案内されて方向を規制されつつ、ケース内を所定方向に対し移動可能としたものであり、請求項１記載の発明による作用に加え、操作時における駆動体の移動方向を簡素な構造で規制せしめ、当該規制部分によって、予め設定されるスライド操作方向のみに操作して所定信号が得られるものが実現できるという作用効果を有する。
【００２０】
本発明の請求項３に記載の発明は、請求項１記載の発明において、四角形の底面の外周四辺から直立する側壁の内側面またはその近傍の底面上の、底面の中心に対し点対称位置にそれぞれ固定接点を有する箱形のケースと、所定巾の弾性金属薄板を略Ｍ字形状に折り曲げ形成され、Ｍ字形中心部がケース内底面の一方の対角線上に固定され、Ｍ字形両端の二つの弾性脚の先端部が、側壁のうちの一方の対角線に対し線対称位置にある二つの内側面にそれぞれ弾接すると共に、Ｍ字形中心部と二つの弾性脚の根元部とを連結する二つの弾性アームが一方の対角線に対し線対称位置にあるように内方から支持されて、ケース内底面の他方の対角線に対し線対称位置にそれぞれ配設された二つの可動接点と、ケースに設けられたガイド部によりケースの対向する二組の側壁とそれぞれ平行な方向に所定量だけ直線移動可能に本体部の両端部が移動規制され、非操作状態において、本体部の四つの当接部が二つの可動接点の各二つずつの弾性アームと弾性脚の連結部近傍に当接することによりケースの中央位置にあるようにケース内に収容されると共に、ケースの上面開口部から外方に突出した操作レバーを有する駆動体からなる多方向スライドスイッチとしたものであり、操作レバーをケースの底面と平行に押圧してケースの対向する二組の側壁と平行な四方向の何れかにスライド操作すると、駆動体全体がガイド部に沿って直線移動し、動いた方向に対応する駆動体の当接部が、当接している可動接点の弾性アームの連結部近傍を押すことにより、弾性脚の先端部が弾接しているケースの側壁の内側面上を摺動して対応する固定接点と接離し、所定信号が得られるものが実現できるという作用効果を有する。
【００２１】
請求項４に記載の発明は、請求項１記載の発明において、ケース内底面の中央に押圧スイッチ部を配設し、操作レバーを貫通して上下動可能に配設された押圧棒を押し下げることにより動作させるものであり、操作レバーをスライド操作して得られる信号に加えて、押圧棒を押し下げることにより別の信号が得られる多方向スライドスイッチを実現できるという作用効果を有する。
【００２２】
請求項５に記載の発明は、請求項４記載の発明において、ケースの上面開口部を平板状のカバーで塞ぎ、その中央に設けた孔から操作レバーを突出させ、この操作レバーに装着したツマミの外周下端部をカバーの孔の外方に当接させると共に、ツマミの中央に設けた貫通孔から押圧棒を押し下げ可能としたものであり、請求項４記載の発明による作用に加えて、ツマミを介して操作レバーをスライド操作する際に、駆動体の傾きによるヒッカカリ等が生じ難く、スムーズに操作することができると共に、カバーの孔を塞いで外観を良くして、防塵性を高めることができるという作用効果を有する。
【００２３】
請求項６に記載の発明は、請求項４記載の発明において、操作レバーが駆動体の本体部に対し独立して上下動可能に係合して、押圧棒を兼ねるものであり、操作レバーをスライド操作できると共に、操作レバーを押し下げて押圧スイッチ部を動作させることができる、構成部材の少ない多方向スライドスイッチを実現できるという作用効果を有する。
【００２４】
請求項７に記載の発明は、請求項４記載の発明において、ケース底面の中央に押圧スイッチを囲む壁部を設けると共に、非操作状態において壁部の上端よりも所定寸法だけ上方に位置し、壁部の内周に対し、スライド操作時の駆動体の移動量よりも小さい寸法の隙間を有する大径部を押圧棒の下端に設けたものであり、非操作状態においては押圧棒を押し下げて押圧スイッチ部を動作させることができるが、操作レバーのスライド操作時に駆動体と共に押圧棒が移動すると、押圧棒の大径部が部分的に壁部上に移動して押圧棒を押し下げることができないものにでき、スライド操作時における押圧スイッチ部の誤動作が起こり難い多方向スライドスイッチを実現できるという作用効果を有する。
【００２５】
【発明の実施の形態】
以下、本発明の一実施の形態について、図１〜図９を用いて説明する。
【００２６】
（実施の形態）
図１は本発明の一実施の形態による多方向スライドスイッチのカバーを除いた平面図、図２は正面断面図、図３は分解斜視図、図４はケースの平面図である。
【００２７】
同図において、２１は樹脂で形成された箱形のケースで、図３および図４に示すように、四角形の底面２１Ａの外周四辺から直立する四つの側壁２２Ａ〜２２Ｄの内側面上には、底面２１Ａの中心に対し点対称位置にそれぞれ平板状の固定接点２３Ａ〜２３Ｄが露出状態で配設され、各固定接点２３Ａ〜２３Ｄと導通した端子２４Ａ〜２４Ｄは各側壁２２Ａ〜２２Ｄの外周から突出している。
【００２８】
また、上記底面２１Ａにおいて、上記二つずつの固定接点２３Ａと２３Ｂおよび２３Ｃと２３Ｄの中間を通る一方の対角線上には、上面視台形の支持部２５および２６が突出しており、側壁２２Ａ〜２２Ｄのコーナー部２１Ｂおよび２１Ｃと対向する側の側面には接続接点２７および２８が設けられて、各接続接点２７および２８と導通した端子２７Ａおよび２８Ａも側壁２２Ａおよび２２Ｃの外周から突出している。
【００２９】
なお、これらの固定接点２３Ａ〜２３Ｄと接続接点２７，２８および、導通した端子２４Ａ〜２４Ｄと２７Ａ，２８Ａはスライドスイッチ部用のものである。
【００３０】
一方、ケース２１の底面２１Ａ中央部を囲む円形壁部２１Ｄ内には、中心接点２９とこれを挟む一対の側部接点３０からなる押圧スイッチ部用の固定接点が設けられ、それぞれと導通した端子２９Ａと３０Ａも側壁２２Ｂと２２Ｄの外周から突出している。
【００３１】
そして、この押圧スイッチ部用の固定接点に対し、図２に示すように、弾性金属薄板を椀状に絞り加工したドーム状可動接点３１が、外周下端部が側部接点３０上に載って頂部下面が中心接点２９と所定の間隔をあけて対峙するように配設されて、押圧スイッチ部が構成されている。
【００３２】
また、ケース２１底面２１Ａの他方のコーナー部には、ガイド部３２および３３が設けられている。
【００３３】
このガイド部３２および３３は、対向する壁部２２Ａ，２２Ｃどうし、および２２Ｂ，２２Ｄどうしとそれぞれ平行な方向の窪みを十字状に設けて構成されている。
【００３４】
なお、ガイド部の構成は、上記のようにケース２１底面２１Ａを十字状に窪ませて構成するものに限らず、ケース壁部２２Ａ，２２Ｃおよび２２Ｂ，２２Ｄに突部を設け、少なくとも上記十字状の外方側が構成されてあるものであればよい。
【００３５】
次に、３４および３５は所定巾の弾性金属薄板を、図３に示すような略Ｍ字形状に折り曲げ形成された可動接点で、図１に示すように、Ｍ字形中心部の接続脚部３４Ａおよび３５Ａが、ケース２１の支持部２５の接続接点２７とコーナー部２１Ｂの間、および支持部２６の接続接点２８とコーナー部２１Ｃの間にそれぞれ圧入・固定されて、接続接点２７および２８と導通している。
【００３６】
そして、各可動接点３４および３５のＭ字形両端の弾性脚３４Ｂ，３４Ｃおよび３５Ｂ，３５Ｃの先端部３４Ｄ，３４Ｅおよび３５Ｄ，３５Ｅが、ケース２１の側壁２２Ａ，２２Ｂ上の固定接点２３Ａ，２３Ｂの近傍および側壁２２Ｃ，２２Ｄ上の固定接点２３Ｃ，２３Ｄの近傍に、各固定接点と所定の間隔をあけて弾接している。
【００３７】
また、可動接点３４および３５の中心部と二つの弾性脚３４Ｂ，３４Ｃおよび３５Ｂ，３５Ｃの根元部とを連結する二つずつの弾性アーム３４Ｆ，３４Ｇおよび３５Ｆ，３５Ｇは、図１に示すように、それぞれの中間部が支持部２５および２６の対称位置にある角部２５Ａ，２５Ｂおよび２６Ａ，２６Ｂに弾接して、ケース２１のコーナー部２１Ｂと２１Ｃを結ぶ対角線に対し対称位置にあるように支持されて位置規制されている。
【００３８】
そして、３６は樹脂形成された駆動体で、図１に点線で示すように、長板状の本体部３６Ａ両端の、中心に対し対称な突出部の下面にそれぞれ設けられた柱状部３７Ａおよび３７Ｂがケース２１の対向する壁部２２Ａ，２２Ｃおよび２２Ｂ，２２Ｄと平行な方向に所定量だけ直線移動可能なように、ケース２１底面２１Ａの十字状のガイド部３２および３３の中心部に位置すると共に、本体部３６Ａ下面に突出した方形部３８の四つの側面当接部３８Ａ〜３８Ｄが、それぞれ可動接点３４および３５の各弾性アーム３４Ｆ，３４Ｇおよび３５Ｆ，３５Ｇの先端である各弾性脚との連結部近傍に当接することによって中立位置を保つようにケース２１内に収容されている。
【００３９】
なお、この駆動体３６に設けた柱状部３７Ａおよび３７Ｂが、駆動体３６の規制部として機能するものである。
【００４０】
また、図２および図３に示すように、駆動体３６本体部３６Ａの上面中央には操作レバー３９が一体に設けられて、ケース２１の上面開口部を塞ぐようにケース２１に結合されたカバー４０の中央の孔４０Ａから外方に突出している。
【００４１】
更に、操作レバー３９中心の貫通孔３９Ａには、押圧スイッチ駆動用の押圧棒４１が上下動可能に配設されて、その下端突部４１Ａは上記押圧スイッチ部のドーム状可動接点３１の頂部上面に当接している。
【００４２】
なお、後で詳述するが、押圧棒４１の下端には、大径のフランジ部４１Ｂが設けられており、このフランジ部４１Ｂ下面に下端突部４１Ａが設けられている。
【００４３】
本実施の形態による多方向スライドスイッチは以上のように構成されるものであり、次にその動作について説明する。
【００４４】
まず、スライドスイッチ部の動作について説明すると、図１に示す非操作状態において、スライドスイッチ部の可動接点３４および３５の弾性脚の先端部は何れも固定接点２３Ａ〜２３Ｄと接触しないＯＦＦ状態にある。
【００４５】
この状態から、図５のスライド操作時においてカバーを除いた状態の平面図に矢印で示すように、操作レバー３９に押し力を加えて右方向へスライド操作すると、駆動体３６の本体部３６Ａの突出部下面に設けられた二つの柱状部３７Ａ，３７Ｂが、ケース２１底面２１Ａの十字状のガイド部３２，３３内の右側の窪み位置に、同図に小さな矢印で示すように案内されて、駆動体３６全体として右方向へ動き、本体部３６Ａ下面の方形部３８の側面当接部３８Ｃは可動接点３５の弾性アーム３５Ｆから離れ、側面当接部３８Ｂおよび３８Ｄは、それぞれ可動接点３４の弾性アーム３４Ｇの弾性脚３４Ｃとの連結部近傍および可動接点３５の弾性アーム３５Ｇの弾性脚３５Ｃとの連結部近傍に当接したまま右方向へ動く。
【００４６】
そして、駆動体３６本体部３６Ａ下面の方形部３８の側面当接部３８Ａが、当接している可動接点３４の弾性アーム３４Ｆの先端を右方向へ押し、押された弾性アーム３４Ｆはその根元の固定部である接続脚部３４Ａ部分を中心として回動して、その中間部がケース２１の支持部２５の角部２５Ａから離れると共に、弾性脚３４Ｂの根元部がケース２１の側壁２２Ａに近づくことにより、その先端部３４Ｄが側壁２２Ａの内側面上を弾接・摺動して固定接点２３Ａに接触する。
【００４７】
これにより、接続接点２７と固定接点２３Ａの間すなわち端子２７Ａと２４Ａの間が可動接点３４を介して導通され、その信号が外部へ伝達される。
【００４８】
この時、可動接点３４の弾性アーム３４Ｇおよび可動接点３５の弾性アーム３５Ｆ，３５Ｇは、それぞれケース２１の支持部２５の角部２５Ｂおよび支持部２６の角部２６Ａ，２６Ｂに弾接していて動かない。
【００４９】
この後、操作レバー３９に加える押し力を除くと、可動接点３４の弾性復元力により、弾性アーム３４Ｆが駆動体３６の方形部３８の側面当接部３８Ａをケース２１の中心方向へ押すことによって、駆動体３６の二つの柱状部３７Ａ，３７Ｂがガイド部３２，３３に案内されながら、元の図１の非操作状態、すなわち駆動体３６が、再び可動接点３４と３５とで外周の四方向から中央側に向かって付勢されている安定した中立状態に復帰し、可動接点３４の弾性脚３４Ｂの先端部３４Ｄは固定接点２３Ａから離れる。
【００５０】
同様に、図１に示す非操作状態において、操作レバー３９を左方向または後ろあるいは手前方向へ押すことによって、接続接点２８と固定接点２３Ｃの間、または接続接点２７と固定接点２３Ｂあるいは接続接点２８と固定接点２３Ｄの間を接離することができる。
【００５１】
このように、本実施の形態によるものは、簡素な構成の駆動体３６の規制部となる柱状部３７Ａ，３７Ｂをガイド部３２，３３で移動規制することにより、スライド操作方向を、左右および後ろあるいは手前方向の四方向のみに規制せしめたものであり、かつ当該操作方向のいずれかに操作した際に所定信号が得られる接点配置としてあるものである。
【００５２】
また、本実施の形態によるものは、構成部材数も少ないので組み立ても容易であり、高さ寸法の低いものとなる。
【００５３】
なお、以上の説明において、可動接点３４および３５は弾性金属薄板を略Ｍ字形状に折り曲げ加工したもので、固定部となったＭ字形中心部を通る中心線に対して対称に、弾性アーム３４Ｆ，３４Ｇと弾性脚３４Ｂ，３４Ｃおよび弾性アーム３５Ｆ，３５Ｇと弾性脚３５Ｂ，３５Ｃが一体に形成されているとしたが、これをＭ字形中心部で二つに分割して、分割した部分それぞれをケース２１のコーナー部２１Ｂおよび２１Ｃに固定してもよいものである。
【００５４】
このようにすることによって、各固定接点２３Ａ〜２３Ｄをそれぞれ電気的に独立したスイッチとすることができる。
【００５５】
また、以上の説明においては、操作レバー３９に横方向の押し力を加えてスライド操作する際に、スライドスイッチ部の略Ｍ字形状の可動接点３４および３５の弾性脚の先端部３４Ｄ，３４Ｅおよび３５Ｄ，３５Ｅは、それぞれのＭ字形中心部に近づく方向にケース２１の側壁２２Ａ〜２２Ｄの内側面上を弾接・摺動するとしたが、これをＭ字形中心部から離れる方向に動くように、各弾性脚３４Ｂ，３４Ｃおよび３５Ｂ，３５Ｃの向きを変えてもよい。
【００５６】
そして、スライドスイッチ部は非操作状態においてＯＦＦ状態にあり、スライド操作することによって所定の端子間が導通するとしたが、これを非操作状態において導通状態にあり、スライド操作することによって所定の端子間がＯＦＦ状態となるようにすることもできる。
【００５７】
更に、固定接点２３Ａ〜２３Ｄはケース２１の底面２１Ａの外周四辺から直立する側壁２２Ａ〜２２Ｄの内側面上に配設されるとしたが、これを側壁２２Ａ〜２２Ｄ近くの底面２１Ａ上に設けて、可動接点３４および３５の弾性脚３４Ｂ，３４Ｃおよび３５Ｂ，３５Ｃの先端が、底面２１Ａの当該固定接点と接離する構成としてもよい。
【００５８】
次に、押圧スイッチ部の動作について説明すると、図２に示す非操作状態において、押圧スイッチ部はＯＦＦ状態すなわち図４に示す接続端子２９Ａと３０Ａの間は導通していない。
【００５９】
この状態から、図６の押圧操作時の正面断面図に矢印で示すように、操作レバー３９中心に配設された押圧棒４１に下方への押し力を加えて押圧操作すると、押圧棒４１の下端突部４１Ａが当接するドーム状可動接点３１の頂部を下方に押して弾性変形させて、頂部下面を中心接点２９に接触させる。
【００６０】
これにより、中心接点２９と側部接点３０の間すなわち端子２９Ａと３０Ａ（図４参照）の間はドーム状可動接点３１を介して導通され、その信号が外部へ伝達される。
【００６１】
この後、押圧棒４１に加える押し力を除くと、ドーム状可動接点３１の弾性復元力により押圧棒４１は上方へ押し戻されて元の図２の状態に復帰し、ドーム状可動接点３１の頂部下面は中心接点２９から離れる。
【００６２】
なお、この押圧スイッチ部は、駆動体３６が非操作状態の位置にある場合のみに動作するように構成されており、次にその内容について説明する。
【００６３】
図２および図３に示すように、押圧棒４１の下端部には大径のフランジ部４１Ｂが設けられて、その中心に下端突部４１Ａが突出形成されている。
【００６４】
そして、このフランジ部４１Ｂは、図２に示すように、ケース２１の底面２１Ａに押圧スイッチ部を囲むように設けられた円形壁部２１Ｄの上端よりも、押圧スイッチ部の動作ストロークよりも小さい寸法だけ上方に位置し、また、フランジ部４１Ｂの外径は、ケース２１の円形壁部２１Ｄの内周に対してスライド操作時の操作レバー３９すなわち押圧棒４１の移動量よりも小さい隙間を有する径となっている。
【００６５】
従って、図７のカバーおよび駆動体を除いた平面図に二点鎖線で示すように、操作レバー３９をスライド操作する時に、操作レバー３９と共に押圧棒４１が横方向へ移動すると、フランジ部４１Ｂの一部がケース２１の円形壁部２１Ｄの上端に重なることになり、この状態において押圧棒４１はフランジ部４１Ｂと円形壁部２１Ｄ上端との高さの差分だけしか下方へ動くことができない。
【００６６】
すなわち、操作レバー３９をスライド操作した状態においては、押圧スイッチ部が動作しない構成にできるものである。
【００６７】
なお、このフランジ部４１Ｂは押圧棒４１が操作レバー３９の貫通孔３９Ａから抜けないようにする役目もしている。
【００６８】
以上の説明において、多方向スライドスイッチの操作レバー部にツマミを装着しない状態について説明したが、図８はツマミを装着した状態の一事例の正面断面図である。
【００６９】
同図において、操作レバー３９の先端部には操作用のツマミ４２が被せられ、その中心の貫通孔４２Ａ内には押ボタン４３が独立して上下動可能に挿入されている。
【００７０】
そして、ツマミ４２の下端は大径部４２Ｂとなり、その外周下端はケース２１の上面開口部を覆うカバー４０の孔４０Ａの外方平面部に当接している。
【００７１】
このような構成のツマミ４２とすることにより、ツマミ４２に横方向の押し力を加えてスライド操作する際に、駆動体３６の傾きによるヒッカカリ等が生じ難く、スムーズに操作することができると共に、カバー４０の孔４０Ａを塞いで外観を良くして、防塵性を高めることができ、更に、押ボタン４３を押圧操作して押圧スイッチ部を動作させることができるものである。
【００７２】
また、図９は、以上に説明した多方向スライドスイッチの駆動体３６の構成を変えたものの正面断面図である。
【００７３】
同図に示すように、駆動体４４の中央孔４４Ａに対して操作レバー４５が独立して上下動可能に係合され、その下端突部４５Ａが押圧スイッチ部のドーム状可動接点３１の頂部上面に当接している。
【００７４】
そして、操作レバー４５の先端部に被せられたツマミ４６は、その下面とカバー４０の間に押圧スイッチ部の動作ストロークよりも少し大きい隙間が設けられている。
【００７５】
このような構成とすることによって、一つのツマミ４６に横方向への押し力を加えスライド操作してスライドスイッチ部を、下方への押し力を加え押圧操作して押圧スイッチ部を、それぞれ動作させることができるので、操作レバー４５およびツマミ４６の形状が簡単で、構成部材数を少なくできるものである。
【００７６】
【発明の効果】
以上のように本発明によれば、操作レバーをスライド操作してケース内に収容した駆動体を所定の方向へ移動させた際に、この駆動体の移動に伴って駆動体で所定の可動接点を押圧して弾接摺動させ固定接点に接離させる構成としたので、構成部材数が少なくて組み立ても容易であると共に、高さ寸法が小さい多方向スライドスイッチを実現できるという有利な効果が得られる。
【図面の簡単な説明】
【図１】本発明の一実施の形態による多方向スライドスイッチのカバーを除いた平面図
【図２】同正面断面図
【図３】同分解斜視図
【図４】同要部であるケースの平面図
【図５】同スライド操作時におけるカバーを除いた平面図
【図６】同押圧操作時の正面断面図
【図７】同カバーおよび駆動体を除いた平面図
【図８】同ツマミを装着した状態の正面断面図
【図９】同他の構成の多方向スライドスイッチの正面断面図
【図１０】従来の多方向スライドスイッチの正面断面図
【図１１】同分解斜視図
【図１２】同要部であるケースの平面図
【図１３】同要部である第一スライド部材の組立て状態を説明する一部断面の平面図
【図１４】同要部である第二スライド部材の組立て状態を説明する一部断面の平面図
【図１５】同操作レバーをＸ軸方向へスライド操作時の状態を説明する平面図
【図１６】同操作レバーをＹ軸方向へスライド操作時の状態を説明する平面図
【符号の説明】
２１  ケース
２１Ａ  底面
２１Ｂ，２１Ｃ  コーナー部
２１Ｄ  円形壁部
２２Ａ〜２２Ｄ  側壁
２３Ａ〜２３Ｄ  固定接点
２４Ａ〜２４Ｄ，２７Ａ，２８Ａ，２９Ａ，３０Ａ  端子
２５，２６  支持部
２５Ａ，２５Ｂ，２６Ａ，２６Ｂ  角部
２７，２８  接続接点
２９  中心接点
３０  側部接点
３１  ドーム状可動接点
３２，３３  ガイド部
３４，３５  可動接点
３４Ａ，３５Ａ  接続脚部
３４Ｂ，３４Ｃ，３５Ｂ，３５Ｃ  弾性脚
３４Ｄ，３４Ｅ，３５Ｄ，３５Ｅ  先端部
３４Ｆ，３４Ｇ，３５Ｆ，３５Ｇ  弾性アーム
３６，４４  駆動体
３６Ａ  本体部
３７Ａ，３７Ｂ  柱状部
３８  方形部
３８Ａ〜３８Ｄ  側面当接部
３９，４５  操作レバー
３９Ａ，４２Ａ  貫通孔
４０  カバー
４０Ａ  孔
４１  押圧棒
４１Ａ，４５Ａ  下端突部
４１Ｂ  フランジ部
４２，４６  ツマミ
４２Ｂ  大径部
４３  押ボタン
４４Ａ  中央孔
【図１】
2004171924.tif 000003
【図２】
2004171924.tif 000004
【図３】
2004171924.tif 000005
【図４】
2004171924.tif 000006
【図５】
2004171924.tif 000007
【図６】
2004171924.tif 000008
【図７】
2004171924.tif 000009
【図８】
2004171924.tif 000010
【図９】
2004171924.tif 000011
【図１０】
2004171924.tif 000012
【図１１】
2004171924.tif 000013
【図１２】
2004171924.tif 000014
【図１３】
2004171924.tif 000015
【図１４】
2004171924.tif 000016
【図１５】
2004171924.tif 000017
【図１６】
2004171924.tif 000018